(57)【要約】【課題】装置の故障を未然に抑制することができる飲料供給装置を提供することである。【解決手段】飲料供給装置１は、給水ノズルから出水する温水を貯留する温水タンク４１と、温熱を生成し、温水タンク４１に貯留される温水の温度を調節するヒーター４０と、ヒーター４０を加熱状態（動作状態）と停止状態とで切替制御する制御部８１と、を有している。制御部８１は、温水タンク４１の空焚きが予測される状況を規定した空焚き予測条件を判定した場合には、ヒーター４０を加熱状態へと切り替えることを規制するための遅延時間を設けている。【選択図】図２
2020059510.tif 000002
【特許請求の範囲】
【請求項１】
給水ノズルから飲料を出水する飲料供給装置において、
前記給水ノズルから出水する飲料を貯留する飲料タンクと、
前記飲料タンクに貯留される飲料の温度を調節する温度調節部と、
前記温度調節部を動作状態と停止状態とで切替制御する制御部と、を有し、
前記制御部は、
予め定められた禁止条件を判定した場合に、前記温度調節部を動作状態へと切り替えることを規制するための遅延時間を設ける
飲料供給装置。
【請求項２】
前記温度調節部は、加熱状態と停止状態とが切替可能に構成され、前記飲料タンクに貯留される飲料を加熱する加熱部を備え、
前記禁止条件は、前記飲料タンクの空焚きが予測される状況を規定した空焚き予測条件であり、
前記制御部は、前記空焚き予測条件を判定した場合に、前記加熱部を加熱状態へと切り替えることを規制するための遅延時間を設ける
請求項１記載の飲料供給装置。
【請求項３】
前記空焚き予測条件は、電源投入がなされたことである
請求項２記載の飲料供給装置。
【請求項４】
前記制御部は、前記飲料タンクの空焚きを判定した場合には、空焚き動作を実行して装置の機能を制限し、
前記空焚き予測条件は、前記空焚き動作が解除されたことである
請求項２又は３記載の飲料供給装置。
【請求項５】
利用者の操作を受け付ける操作部を有し、
前記制御部は、
前記操作部への操作内容を含む、前記空焚き動作を解除するためのガイドを報知し、
当該ガイドを報知した後に、前記ガイドに従った操作内容を前記操作部が受け付けた場合に、前記空焚き動作が解除されたことを判定する
請求項４記載の飲料供給装置。
【発明の詳細な説明】
【技術分野】
【０００１】
本発明は、飲料供給装置に関する。
【背景技術】
【０００２】
飲料ボトルから供給された水を給水ノズルから供給（出水）するウォーターサーバーが、従来より提案されている。ウォーターサーバーが備える機能には、温水を出水する温水機能や、冷水を出水する冷水機能がある。
【０００３】
温水機能を備えたウォーターサーバーは、温水を貯留する温水タンクと、温水タンクの水を加熱するヒーターと、ヒーターを制御する制御部とを有している。制御部は、温水タンクの温水温度に基づいてヒーターを加熱状態と停止状態とで切替制御することで、温水タンクの温水を一定の温度状態に保っている。
【０００４】
ところで、温水タンクの温水が少ない状態で、ヒーターが加熱状態となった場合には空焚きが発生する。そのため、温水タンクに温水がない場合、或いは、温水タンクの温水が少ない場合には、ヒーターが加熱状態となることを規制する制御が必要となる。例えば特許文献１には、温度変化により温水タンクに水があるか否かを検知する手法が開示されている。
【先行技術文献】
【特許文献】
【０００５】
【特許文献１】特開２０１０−６４６３号公報
【発明の概要】
【発明が解決しようとする課題】
【０００６】
しかしながら、従来のウォーターサーバーにあっては、故障に繋がる可能性のある動作を必ずしも制限することができず、装置の故障を未然に抑制することができない可能性があった。
【０００７】
例えば、温度変化により水の有無を判断する手法は、周囲の環境（設置に伴う搬送時の経路、設置場所、時期等）から温度影響を受け易いため、空焚きを検知できないこともある。そのため、温水タンクの加熱を制限すべき状況であったとしても、加熱要求が発生した場合には、加熱部が停止状態から加熱状態へと切り替わってしまう。その結果、空焚きが発生し、装置の故障に繋がるという不都合がある。
【０００８】
本発明はかかる事情に鑑みてなされたものであり、その目的は、装置の故障を未然に抑制することができる飲料供給装置を提供することである。
【課題を解決するための手段】
【０００９】
かかる課題を解決するために、本発明は、給水ノズルから飲料を出水する飲料供給装置を提供する。この飲料供給装置は、給水ノズルから出水する飲料を貯留する飲料タンクと、飲料タンクに貯留される飲料の温度を調節する温度調節部と、温度調節部を動作状態と停止状態とで切替制御する制御部と、を有している。この場合、制御部は、予め定められた禁止条件を判定した場合に、温度調節部を動作状態へと切り替えることを規制するための遅延時間を設ける。
【００１０】
ここで、本発明において、温度調節部は、加熱状態と停止状態とが切替可能に構成され、飲料タンクに貯留される飲料を加熱する加熱部を備えることが好ましい。この場合、禁止条件は、飲料タンクの空焚きが予測される状況を規定した空焚き予測条件である。そして、制御部は、空焚き予測条件を判定した場合に、加熱部を加熱状態へと切り替えることを規制するための遅延時間を設けることが望ましい。
【００１１】
また、本発明において、空焚き予測条件は、電源投入がなされたことであることが望ましい。
【００１２】
また、本発明において、制御部は、飲料タンクの空焚きを判定した場合には、空焚き動作を実行して装置の機能を制限することが好ましい。この場合、空焚き予測条件は、空焚き動作が解除されたことであることが望ましい。
【００１３】
また、本発明は、利用者の操作を受け付ける操作部を有することが好ましい。この場合、制御部は、操作部への操作内容を含む、空焚き動作を解除するためのガイドを報知し、このガイドを報知した後に、ガイドに従った操作内容を操作部が受け付けた場合に、空焚き動作が解除されたことを判定することが好ましい。
【発明の効果】
【００１４】
本発明の飲料供給装置によれば、装置の故障を未然に抑制することができる。
【図面の簡単な説明】
【００１５】
【図１】本実施形態に係る飲料供給装置の外観を示す斜視図
【図２】本実施形態に係る飲料供給装置のシステム構成を示すブロック図
【図３】操作パネルの正面図
【図４】本実施形態に係る飲料供給装置の遅延制御を示すフローチャート
【図５】本実施形態に係る飲料供給装置の遅延制御を示すフローチャート
【図６】飲料ボトルをセットしてからの時間と温水タンクの水量との関係及び動作タイミングを示す説明図
【発明を実施するための形態】
【００１６】
以下、本実施形態に係る飲料供給装置１について説明する。ここで、図１は、本実施形態に係る飲料供給装置１の外観を示す斜視図である。また、図２は、本実施形態に係る飲料供給装置１のシステム構成を示すブロック図である。
【００１７】
本実施形態に係る飲料供給装置１は、飲料ボトル５から取り入れた水を給水ノズル２０から供給（出水）するウォーターサーバーである。飲料供給装置１は、装置本体である筐体１０と、給水ノズル２０と、操作パネル３０とを備えている。
【００１８】
筐体１０の内部には、温水が貯留される飲料タンクである温水タンク４１、冷水が貯留される飲料タンクである冷水タンク４６、及び各種の配管（図示せず）が設けられている。飲料ボトル５から筐体１０の内部へと取り入れられた水は、配管を介して、冷水タンク４６又は温水タンク４１へと供給される。
【００１９】
冷水タンク４６内の水（冷水）は、温度調節部である冷却機構４５により冷却される。冷却機構４５は、冷媒を循環させる冷媒配管、コンプレッサ及び膨張弁等を主体に構成されている。冷却機構４５がオンされると、当該冷却機構４５は冷却状態となり、冷却機構４５がオフされると、当該冷却機構４５は停止状態、すなわち、非冷却状態となる。一方、温水タンク４１内の水（温水）は、温度調節部（加熱部）であるヒーター４０により加熱される。ヒーター４０がオンされると、当該ヒーター４０は加熱状態となり、ヒーター４０がオフされると、当該ヒーター４０は停止状態、すなわち、非加熱状態となる。
【００２０】
各種の配管により、温水タンク４１内の温水、冷水タンク４６内の冷水又は飲料ボトル５から取り入れられた水（常温水）が給水ノズル２０へと供給される。そして、給水ノズル２０から、温水、冷水又は常温水が出水される。給水ノズル２０から冷水の出水が行われると、消費（出水）に応じた水が飲料ボトル５から冷水タンク４６へと供給される。また、給水ノズル２０から温水の出水が行われると、消費（出水）に応じた冷水が冷水タンク４６から温水タンク４１へと供給される。同時に、温水タンク４１へ供給された分の水が飲料ボトル５から冷水タンク４６へと供給される。
【００２１】
筐体１０の正面（前面）１０ａの中央部には、所要の大きさを備える筐体開口１０ａ１が設けられている。筐体開口１０ａ１には、化粧パネル１１が配設されている。
【００２２】
化粧パネル１１の上部には、膨出部１２が設けられている。膨出部１２は、上側から下側にかけて筐体１０の手前側に向かって傾斜する面形状として構成されている。膨出部１２の表面には、操作パネル３０が配設されている。
【００２３】
また、膨出部１２よりも下側には、上側から下側にかけて筐体１０の奥側に向かって傾斜する傾斜壁部１３と、当該傾斜壁部１３の下側に連設されて、上下方向に延在する縦壁部１４とが設けられている。傾斜壁部１３と、縦壁部１４と、筐体１０をなす左右の側面１０ｂ，１０ｃとにより、給水ノズル２０から出水される水を受けるための給水空間Ｓが形成される。
【００２４】
給水空間Ｓの下端には、コップ等の容器を載置したり、容器から溢れた水を受け止めたりするためのドリップトレイ１５が配置されている。飲料供給装置１の使用時には、ドリップトレイ１５上の所定位置に容器を置き、操作パネル３０に対して所定の出水操作を行う。出水操作に応じて給水ノズル２０から水が出水されると、この水をドリップトレイ１５上の容器で受けることができる。また、容器を手に持ったまま、給水スイッチ３５を押し込む出水操作を行う。この出水操作に応じて給水ノズル２０から水が出水されると、この水を手に持った容器で受けることができる。
【００２５】
筐体１０の上部には、ボトル載置部１６が設けられている。ボトル載置部１６には、水が貯留された飲料ボトル５を載置することができる。ボトル載置部１６に載置された飲料ボトル５内の水は、装置周囲の温度に応じた常温となる。
【００２６】
給水ノズル２０は、冷水、温水又は常温水を出水するためのものである。傾斜壁部１３には開口部が設けられており、この開口部には、先端部が下向きに突き出すように、給水ノズル２０が配置されている。給水ノズル２０の周囲は、保護カバー２１により覆われている。給水ノズル２０は、筐体１０内に収容された配管の最下流に接続されている。もっとも、給水ノズル２０は、配管の一部を流用することも可能である。
【００２７】
操作パネル３０は、膨出部１２の表面に配設されている。操作パネル３０は、飲料供給装置１に対する利用者の操作を受け付けたり、飲料供給装置１に関する情報を表示したりする。利用者は、操作パネル３０に対して操作を行うことで、飲料供給装置１が備える複数の機能の中から所望の機能を選択したり、選択した機能を実行したりすることができる。また、利用者は、操作パネル３０上の情報を視認することで、飲料供給装置１が備える機能を認識したり、現在どの機能が選択されているかを認識したりすることができる。
【００２８】
図３は、操作パネル３０の正面図である。操作パネル３０は、パネル操作部３１と、表示部３２とを備えている。
【００２９】
パネル操作部３１は、利用者からの操作を受け付ける操作部である。パネル操作部３１は、ジョグダイヤル３１ａと、給水決定スイッチ３１ｂと、ロック解除スイッチ３１ｃとを備えている。
【００３０】
表示部３２は、飲料供給装置１が備える複数の機能を表示するとともに、現在選択されている機能を表示するものである。本実施形態に係る飲料供給装置１は、ユーザーが選択することができる機能として、冷水機能、温水機能、常温水機能、省エネ機能、クリーニング機能、加熱機能及び警報機能を含む７つの機能を備えている。表示部３２は、これらの７つの機能と対応して、冷水表示部３２ａ、温水表示部３２ｂ、常温水表示部３２ｃ、省エネ表示部３２ｄ、クリーニング表示部３２ｅ、加熱表示部３２ｆ及び水分補給表示部（警報表示部）３２ｇを備えている。個々の表示部３２ａ〜３２ｇは、操作パネル３０上に描画されたアイコンと、操作パネル３０の裏面に配置されて、当該操作パネル３０を透過照明する光源（図示せず）とで構成されている。光源としては、例えばＬＥＤを用いることができる。
【００３１】
ジョグダイヤル３１ａは、円筒形状の操作部材（ダイヤルスイッチ）であり、表示部３２ａ〜３２ｇによって示される各種の機能を選択するための操作部である。ジョグダイヤル３１ａは、その中心軸を中心に回転可能に操作パネル３０上に配置され、回転操作を行うことができる。ジョグダイヤル３１ａの周囲には、各機能の表示部３２ａ〜３２ｇが周方向に沿って所定のピッチで配置されている。ジョグダイヤル３１ａを回転操作し、複数の表示部３２ａ〜３２ｇの中から１つの表示部３２ａ〜３２ｇを選択することで、その表示部３２ａ〜３２ｇに対応する機能を選択することができる。また、ジョグダイヤル３１ａにより選択された表示部３２ａ〜３２ｇは、光源が点灯し、他の表示部３２ａ〜３２ｇは、光源が消灯する。
【００３２】
給水決定スイッチ３１ｂは、ジョグダイヤル３１ａにより選択されている機能を実行するための操作部である。給水決定スイッチ３１ｂは、指で押している間だけオンになり、指を離すとオフとなるモーメンタリスイッチである。例えば冷水表示部３２ａが選択されているときに給水決定スイッチ３１ｂが操作されると（出水操作）、冷水を供給する冷水機能が実行される。これにより、給水ノズル２０から冷水が供給される。温水表示部３２ｂ又は常温水表示部３２ｃが選択されているときも同様で、給水決定スイッチ３１ｂが操作されると（出水操作）、温水を供給する温水機能又は常温水を供給する常温水機能が実行される。これにより、給水ノズル２０から温水又は常温水が供給される。
【００３３】
また、省エネ表示部３２ｄが選択されているときに給水決定スイッチ３１ｂが操作されると、省エネ機能が実行される。省エネ機能は、飲料供給装置１を省エネモードで運転させる機能である。省エネ機能が実行されると、冷水タンク４６内の冷水温度を標準温度よりも上げる処理及び温水タンク４１内の温水温度を標準温度よりも下げる処理の少なくとも一方が実施され、電力消費の抑制が図られる。
【００３４】
クリーニング表示部３２ｅが選択されているときに給水決定スイッチ３１ｂが操作されると、クリーニング機能が実行される。クリーニング機能は、筐体１０内の配管、冷水タンク４６及び温水タンク４１をクリーニングさせる機能である。クリーニング機能が実行されると、冷水タンク４６内の冷水を殺菌するためのＵＶ−ＬＥＤ（紫外線ＬＥＤ）ライトを点灯させる処理が実施され、これにより冷水タンク４６の殺菌が行われる。なお、クリーニング機能は、この方法に限られるものではなく、配管、冷水タンク４６及び温水タンク４１内で温水を循環させるものであってもよいし、その他の方法であってもよい。
【００３５】
加熱表示部３２ｆが選択されているときに給水決定スイッチ３１ｂが操作されると、加熱機能が実行される。加熱機能は、温水タンク４１内の温水の加熱を行う機能である。加熱機能が実行されると、例えば通常は８０℃程度の温水タンク４１内の温水を９０℃以上に昇温させる処理が実施される。
【００３６】
水分補給表示部３２ｇが選択されているときに給水決定スイッチ３１ｂが操作されると、警報機能が実行される。警報機能は、飲料供給装置１を熱中症警告モードで運転させる機能である。警報機能が実行されると、飲料供給装置１が熱中症の可能性を判断して警告を行う処理が実施され、利用者に水分摂取を促すことができる。
【００３７】
ロック解除スイッチ３１ｃは、いわゆるチャイルドロック状態を解除するための操作部である。ロック解除スイッチ３１ｃは、指で押している間だけオンになり、指を離すとオフとなるモーメンタリスイッチである。チャイルドロック状態とは、温水表示部３２ｂが選択されているときに給水決定スイッチ３１ｂが操作されても温水機能の実行を禁止する状態である。このロック解除スイッチ３１ｃが特定時間（例えば３秒）連続して長押しされることにより、チャイルドロック状態が解除される。
【００３８】
なお、チャイルドロック状態は、温水機能の実行禁止に限らず、冷水機能や常温水機能の実行禁止に適用してもよい。さらに、チャイルドロック状態は、他の機能の実行禁止に適用してもよい。
【００３９】
さらに、飲料供給装置１は、温水温度センサー４２と、冷水温度センサー４７と、電磁弁６０と、音声出力部７０と、制御装置８０とを備えている。
【００４０】
温水温度センサー４２は、温水タンク４１の温水温度を検知する温度検知部である。温水温度センサー４２は、例えばサーミスタ等を用いて温度を測定するセンサーである。
【００４１】
冷水温度センサー４７は、冷水タンク４６の冷水温度を検知する温度検知部である。冷水温度センサー４７は、例えばサーミスタ等を用いて温度を測定するセンサーである。
【００４２】
電磁弁６０は、給水ノズル２０からの水の出水を制御する。電磁弁６０は、開弁状態において給水ノズル２０からの水の出水を許可し、閉弁状態において給水ノズル２０からの水の出水を停止する。この電磁弁６０は、冷水タンク４６からの冷水の出水を制御する冷水電磁弁と、温水タンク４１からの温水の出水を制御する温水電磁弁と、常温水の出水を制御する常温水電磁弁とを含んでいる。
【００４３】
音声出力部７０は、筐体１０の周囲に所定の音声を出力するものであり、スピーカー及び音声ＩＣ等を備えている。音声出力部７０により、飲料供給装置１に関する各種の音声、警報音等が出力される。
【００４４】
制御装置８０は、飲料供給装置１の制御を行う。制御装置８０は、制御部８１及び記憶部８２を有している。
【００４５】
制御部８１は、飲料供給装置１内の各種構成を統括的に制御するものであり、ＣＰＵ等のプロセッサを備えている。制御部８１は、パネル操作部３１への操作内容、並びに、温水温度センサー４２、冷水温度センサー４７及び装置周辺の温度・湿度を検出する温湿度センサー（図示せず）を含む各種センサーからのセンサー信号等に基づいて、表示部３２、ヒーター４０、冷却機構４５、電磁弁６０及び音声出力部７０を制御する。制御部８１の制御により、（１）温水タンク４１内の温水を所定の温度に調整したり、（２）冷水タンク４６内の冷水を所定の温度に調整したり、（３）冷水、温水及び常温水のいずれかを給水ノズル２０から出水したりすることができる。
【００４６】
記憶部８２は、各種のデータ及びプログラムを記憶するものであり、ＲＯＭ、フラッシュメモリ等を備えている。記憶部８２（例えばフラッシュメモリ）には、動作履歴が記録される。動作履歴は、飲料供給装置１の動作に関する履歴を示すものである。動作履歴としては、飲料供給装置１の動作時間、冷水の供給回数、常温水の供給回数、温水の供給回数等が挙げられる。
【００４７】
本実施形態との関係において、制御部８１は、ヒーター４０を加熱状態へと切り替える加熱要求、すなわち、ヒーター４０に対するオン要求を判定する。オン要求は、（１）温水温度センサー４２によって検知される温水温度が、温水タンク４１の温水温度を管理する下限温度を下回った場合、（２）加熱機能が実行された場合等に判定される。オン要求を判定した場合、制御部８１は、ヒーター４０をオンし、当該ヒーター４０を加熱状態へと切り替える。
【００４８】
また、制御部８１は、温水タンク４１の空焚きを判定する。空焚きの判定は、ヒーター４０を加熱状態（オン）へと切り替えるタイミングで行われる。制御部８１は、ヒーター４０をオンした時の温水温度と、ヒーター４０をオンしてから所定の時間が経過した後の温水温度との差が、空焚きを判定するための判定温度差よりも大きくなる場合に、空焚きを判定する。
【００４９】
空焚きが判定されると、制御部８１は、空焚き動作へと移行する。空焚き動作では、飲料供給装置１が備える機能の一部（温水機能、加熱機能等）又は全部が制限される。併せて、制御部８１は、（１）空焚きであること、（２）パネル操作部３１への操作内容を含む、空焚き動作を解除するためのガイドを、音声出力部７０を用いて報知する。例えば、「空焚きです。ボトルをセットしてください。ボトルをセットした後、ロック解除スイッチを長押ししてください。」といった如くである。そして、制御部８１は、ガイドを報知した後に、このガイドに従った操作内容をパネル操作部３１（ロック解除スイッチ３１ｃ）が受け付けた場合に、空焚き動作を解除する。
【００５０】
さらに、制御部８１は、空焚き予測条件（禁止条件の一例）を判定した場合には、ヒーター４０を加熱状態へと切り替えることを規制するための遅延時間を設ける。この遅延時間が設けられると、制御部８１は、その遅延時間を経過するまでは、ヒーター４０に対するオン要求を判定しても、オン要求を無視し、ヒーター４０をオフ（停止状態）のまま継続させる（遅延制御）。
【００５１】
ここで、空焚き予測条件とは、温水タンク４１の空焚きが予測される状況を規定したものである。例えば、飲料供給装置１を利用場所に設置した際に電源投入がなされた場合、あるいは、空焚き動作が解除された場合には、温水タンク４１が空である可能性が高いことから、空焚きが予測される。そこで、本実施形態では、空焚き予測条件として、（１）電源投入がなされたこと、（２）空焚き動作が解除されたこと、を含む２つの条件が設定されている。この空焚き予測条件は、記憶部８２に記録されている。
【００５２】
ところで、上述した（１）及び（２）の条件は、飲料供給装置１に対して飲料ボトル５がセットされる状況でもある。したがって、遅延時間は、長期間に亘って設ける必要はなく、飲料ボトル５がセットされて温水タンク４１に必要な量の水が貯留される時間を目安に設けることができる。
【００５３】
次に、本実施形態に係る飲料供給装置１の遅延制御について説明する。この遅延制御には、電源投入時に実行されるものと、空焚き判定時に実行されるものとがある。まず、図４を参照し、電源投入時に実行される遅延制御の流れについて説明する。このフローチャートに示す処理は、制御部８１により実行される。
【００５４】
まず、ステップＳ１において、制御部８１は、電源投入がなされたか否かを判断する。具体的には、制御部８１は、電源投入がなされた場合には、ステップＳ１において肯定判定され、ステップＳ２に進む。一方、電源投入がなされていない場合には、ステップＳ１において否定判定され、本ルーチンを終了する。
【００５５】
ステップＳ２において、制御部８１は、遅延時間を計時するためのタイマーのカウントを開始して、遅延時間の計測を開始する。この遅延時間は、飲料ボトル５が筐体１０にセットされて、温水タンク４１に温水がある程度だけ貯留されるのに要する時間であり、例えば５分といったように予め設定されている。電源投入後、遅延時間が経過するまでは、加熱要求、すなわち、ヒーター４０に対するオン要求を判定しても、制御部８１は、ヒーター４０がオン（加熱状態）に切り替わることを禁止する。
【００５６】
ステップＳ３において、制御部８１は、タイマーを参照し、遅延時間を経過したか否かを判断する。遅延時間を経過した場合には、ステップＳ３において肯定判定され、本ルーチンを終了する。遅延時間を経過すると、それ以降は、ヒーター４０に対するオン要求に従ってヒーター４０の切替制御を行うことができる。一方、遅延時間を経過していない場合には、ステップＳ３において否定判定され、ステップＳ３に戻る。
【００５７】
つぎに、図５を参照し、空焚き判定時に実行される遅延制御について説明する。このフローチャートに示す処理は、空焚きが判定されたことをトリガーとして、制御部８１により実行される。
【００５８】
まず、ステップＳ１０において、制御部８１は、空焚き動作を開始する。これにより、飲料供給装置１が備える機能の一部（例えば温水機能、加熱機能等）又は全部が制限される。また、制御部８１は、音声出力部７０を用いて、「空焚きです。ボトルをセットしてください。ボトルをセットした後、ロック解除スイッチを長押ししてください。」とのガイドを報知する。
【００５９】
ステップＳ１１において、制御部８１は、ガイドに従った操作内容（ロック解除スイッチ３１ｃの長押し）をパネル操作部３１が受け付けたか否か、すなわち、空焚き動作が解除されたか否かを判断する。空焚き動作が解除された場合には、ステップＳ１１において肯定判定され、ステップＳ１２に進む。一方、空焚き動作が解除されなかった場合には、ステップＳ１１において否定判定され、ステップＳ１１に戻る。
【００６０】
ステップＳ１２において、制御部８１は、空焚き動作を解除し、通常動作へと復帰する。
【００６１】
ステップＳ１３において、制御部８１は、遅延時間を計時するためのタイマーのカウントを開始して、遅延時間の計測を開始する。空焚き動作の解除後、遅延時間が経過するまでは、加熱要求、すなわち、ヒーター４０に対するオン要求を判定しても、制御部８１は、ヒーター４０がオン（加熱状態）に切り替わることを禁止する。
【００６２】
ステップＳ１４において、制御部８１は、タイマーを参照し、遅延時間を経過したか否かを判断する。タイマーが遅延時間を経過した場合には、ステップＳ１４において肯定判定され、本ルーチンを終了する。遅延時間を経過すると、それ以降は、ヒーター４０に対するオン要求に従ってヒーター４０の切替制御を行うことができる。一方、タイマーが遅延時間を経過していない場合には、ステップＳ１４において否定判定され、ステップＳ１４に戻る。
【００６３】
このように本実施形態に係る飲料供給装置１は、給水ノズル２０から出水する温水を貯留する温水タンク４１と、温熱を生成し、温水タンク４１に貯留される温水の温度を調節するヒーター４０と、ヒーター４０を加熱状態（動作状態）と停止状態とで切替制御する制御部８１と、を有している。制御部８１は、温水タンク４１の空焚きが予測される状況を規定した空焚き予測条件を判定した場合には、ヒーター４０を加熱状態へと切り替えることを規制するための遅延時間を設けている。
【００６４】
ここで、図６は、飲料ボトル５をセットしてからの時間と温水タンク４１の水量との関係及び動作タイミングを示す説明図である。また、同図において、（ａ）は、遅延時間を設けない場合でのヒーター４０のオンオフ状態を示すタイミングチャートであり、（ｂ）遅延時間を設けた場合でのヒーター４０のオンオフ状態を示すタイミングチャートである。また、（ｃ）は、ヒーター４０に対するオン要求の有無を示すタイミングチャートである。
【００６５】
この構成によれば、飲料供給装置１には、空焚き予測条件が設定されているので、温水タンク４１の空焚きが予測される状況を判定することができる。これにより、温水タンク４１の空焚きが予測される状況において遅延時間を設けることができる。この遅延時間にあっては、ヒーター４０に対してオン要求があっても、ヒーター４０が加熱状態へと切り替わることを規制することができる。その結果、温水タンク４１の空焚きを適切に規制することができるので、飲料供給装置１の故障を未然に抑制することができる。
【００６６】
また、本実施形態において、空焚き予測条件は、飲料供給装置１を利用場所に設置した際に電源投入がなされたことである。
【００６７】
飲料供給装置１を設置する状況では、当然に、温水タンク４１が空であることが予測される。したがって、温水タンク４１の空焚きが予測される状況に併せて、遅延時間を設けることができる。これにより、ヒーター４０が加熱状態へと切り替わることを規制することができる。その結果、温水タンク４１の空焚きを適切に規制することができるので、飲料供給装置１の故障を未然に抑制することができる。
【００６８】
また、本実施形態において、空焚き予測条件は、空焚き動作が解除されたことである。
【００６９】
空焚き動作の解除前、すなわち、空焚き動作が実行されている期間においては、温水タンク４１が空であることが予測される。したがって、温水タンク４１の空焚きが予測される状況に併せて、遅延時間を設けることができる。これにより、ヒーター４０が加熱状態へと切り替わることを規制することができる。その結果、温水タンク４１の空焚きを適切に規制することができるので、飲料供給装置１の故障を未然に抑制することができる。
【００７０】
また、本実施形態において、制御部８１は、パネル操作部３１への操作内容を含む、空焚き動作を解除するためのガイドを報知する。そして、制御部８１は、ガイドを報知した後に、ガイドに従った操作内容をパネル操作部３１が受け付けた場合に、空焚き動作が解除されたことを判定する。
【００７１】
この構成によれば、空焚き動作を解除するための方法を、利用者に報知することができる。これにより、ガイドに従うことで、利用者自身で空焚き動作を解除することができる。また、ガイドに従った操作をパネル操作部３１が受け付けることで、制御部８１において、空焚き予測条件を判定することができる。これにより、遅延時間を適切に設けることができる。その結果、温水タンク４１の空焚きを適切に規制することができるので、飲料供給装置１の故障を未然に抑制することができる。
【００７２】
なお、本実施形態では、温水タンク４１の空焚きを予測して遅延時間を設けた。しかしながら、この手法は、温水タンク４１のみならず、冷水タンク４６に適用してもよい。冷水タンク４６を冷却する冷却機構４５（特にコンプレッサ）は、その耐久性を考慮すると、停止状態へと切り替えた後に、一定時間だけ停止状態を継続したいという要求がある。そこで、冷却機構４５の停止状態への切替を禁止条件として、この禁止条件を判定した場合に、冷却機構４５を動作状態へと切り替えることを規制するための遅延時間を設けてもよい。
【００７３】
なお、空焚きの状況は、電源投入時のなかでも、飲料供給装置１を利用場所に設置して、初めて電源投入を行う際に発生し易い。そこで、初回の電源投入に限定して遅延時間を設けてもよい。これにより、停電などの短時間での電源オフ、電源投入といったシーンでは、遅延時間が設けられないので、加熱要求に対して応答性よくヒーター４０を動作させることができる。
【００７４】
以上、実施形態に基づき本発明を説明したが、本発明は上記実施形態に限られるものではなく、本発明の趣旨を逸脱しない範囲で、変更を加えてもよい。
【００７５】
例えば、本実施形態に係る飲料供給装置は、飲料ボトルからの水を供給するウォーターサーバーである。しかしながら、本発明は、ウォーターサーバーに限らず、水以外の清涼飲料水、コーヒー、お茶等の他の種類の飲料を供給するものであってもよいし、複数種の飲料を供給するものであってもよい。
【００７６】
また、本実施形態に係る飲料供給装置は、筐体の上部に飲料ボトルが載置されるものであるが、これに限らず、筐体の内部の下部等に飲料ボトルを収容するタイプのものであってもよい。
【００７７】
また、本実施形態では、冷水、温水及び常温水の３種類を出水する装置について説明した。しかしながら、飲料供給装置は、少なくとも温水及び冷水の一方を出水するものであればよい。
【符号の説明】
【００７８】
１        飲料供給装置
５        飲料ボトル
１０      筐体
１０ａ    筐体正面
１０ａ１  筐体開口
１０ｂ    側面
１０ｃ    側面
１１      化粧パネル
１２      膨出部
１３      傾斜壁部
１４      縦壁部
１５      ドリップトレイ
１６      ボトル載置部
２０      給水ノズル
２１      保護カバー
３０      操作パネル
３１      パネル操作部
３１ａ    ジョグダイヤル
３１ｂ    給水決定スイッチ
３１ｃ    ロック解除スイッチ
３２      表示部
３２ａ    冷水表示部
３２ｂ    温水表示部
３２ｃ    常温水表示部
３２ｄ    省エネ表示部
３２ｅ    クリーニング表示部
３２ｆ    加熱表示部
３２ｇ    水分補給表示部
３５      給水スイッチ
４０      ヒーター
４１      温水タンク
４２      温水温度センサー
４５      冷却機構
４６      冷水タンク
４７      冷水温度センサー
６０      電磁弁
７０      音声出力部
８０      制御装置
８１      制御部
８２      記憶部
Ｓ      給水空間
【図１】
2020059510.tif 000003
【図２】
2020059510.tif 000004
【図３】
2020059510.tif 000005
【図４】
2020059510.tif 000006
【図５】
2020059510.tif 000007
【図６】
2020059510.tif 000008